(57)【要約】【課題】ボウとエッジの打感を個別に適切化する。【解決手段】シンバルパッドＰＤは、フレーム２１上に表面部材２９が積層された２層構造でなる。カップ４０、ボウ３０及びエッジ２０のそれぞれに対応する、表面カップ対応部２９Ｃと表面ボウ対応部２９Ｂと表面エッジ対応部２９Ａとが別体に構成される。対応部２９Ｃ、２９Ｂ、２９Ａにつき、互いに、その素材特性及び表面処理のうち少なくともいずれかが異なるように構成することで、カップ４０、ボウ３０、エッジ２０の打感を個別に適切化する。例えば、硬さは、表面カップ対応部２９Ｃ＞表面ボウ対応部２９Ｂ＞表面エッジ対応部２９Ａとなるように選定される。【選択図】図２
2015028520.tif 000002
【特許請求の範囲】
【請求項１】
打撃領域として、カップ、ボウ及びエッジを有するシンバルパッドであって、
フレームと、
前記フレームよりも軟質であり、前記フレームを覆うように配設されてスティックにより打撃される表面部材とを有し、
前記表面部材におけるボウに対応するボウ対応部とエッジに対応するエッジ対応部とで、素材特性及び表面処理のうち少なくともいずれかが異なることを特徴とするシンバルパッド。
【請求項２】
前記ボウ対応部よりも前記エッジ対応部の方が硬度が低いことを特徴とする請求項１記載のシンバルパッド。
【請求項３】
前記ボウ対応部よりも前記エッジ対応部の方が反発係数が低いことを特徴とする請求項１または２記載のシンバルパッド。
【請求項４】
前記ボウ対応部よりも前記エッジ対応部の方が硬度が高いことを特徴とする請求項１記載のシンバルパッド。
【請求項５】
前記表面部材におけるカップに対応するカップ対応部と前記ボウ対応部と前記エッジ対応部とで、素材特性及び表面処理のうち少なくともいずれかが異なることを特徴とする請求項１〜４のいずれか１項に記載のシンバルパッド。
【請求項６】
前記ボウ対応部よりも前記カップ対応部の方が硬度が高いことを特徴とする請求項５記載のシンバルパッド。
【請求項７】
前記表面処理として、前記ボウ対応部と前記エッジ対応部とに、互いに特性の異なる表面処理層を設けたことを特徴とする請求項１記載のシンバルパッド。
【請求項８】
前記表面処理として、前記表面部材におけるカップに対応するカップ対応部と前記ボウ対応部と前記エッジ対応部とに、互いに特性の異なる表面処理層を設けたことを特徴とする請求項１記載のシンバルパッド。
【請求項９】
前記ボウ対応部に設けた表面処理層よりも前記エッジ対応部に設けた表面処理層の方が滑り性が高いことを特徴とする請求項７または８記載のシンバルパッド。
【請求項１０】
前記表面処理として、前記表面部材におけるカップに対応するカップ対応部と前記ボウ対応部とに、互いに特性の異なる表面処理層を設けると共に、前記エッジ対応部には表面処理層を設けないことを特徴とする請求項１記載のシンバルパッド。
【請求項１１】
前記ボウ対応部と前記エッジ対応部との間に隙間が形成され、前記隙間において、前記ボウ対応部と前記エッジ対応部とが平面視で重なることで、平面視において前記フレームが見えないことを特徴とする請求項１記載のシンバルパッド。
【請求項１２】
前記ボウ対応部及び前記エッジ対応部の少なくともいずれかにおける前記隙間の近傍に、平面視で前記隙間と略平行な溝部を設けたことを特徴とする請求項１１記載のシンバルパッド。
【請求項１３】
前記隙間を別部材で埋めたことを特徴とする請求項１１記載のシンバルパッド。
【請求項１４】
前記表面部材におけるカップに対応するカップ対応部と前記ボウ対応部との間に隙間が形成され、前記隙間において、前記カップ対応部と前記ボウ対応部とが平面視で重なることで、平面視において前記フレームが見えないことを特徴とする請求項１１記載のシンバルパッド。
【発明の詳細な説明】
【技術分野】
【０００１】
本発明は、電子打楽器や打撃練習用に利用されるシンバルパッドに関する。
【背景技術】
【０００２】
アコースティックのシンバルは、円盤形状の中心側から、打撃領域としてカップ、ボウ、エッジがあり、それぞれの打撃領域で打感が異なる。特にエッジについては、単に叩くだけでなく、スティックを下方に振り抜くように演奏されることもある。アコースティックのシンバルにおいてはこのような振り抜きも簡単である。
【０００３】
ところで従来、電子打楽器や打撃練習用に利用されるシンバルパッドにおいて、下記特許文献１に示されるように、スティックによる直接の打撃音を抑えるためにゴム等の軟質部材を打撃面に配した構成が知られている。この種のシンバルにおいては、１枚の硬質のフレームに、カップ、ボウ及びエッジのそれぞれに対応する部分が一体に繋がった１枚のゴムパッドを被せる構成が一般的である。
【先行技術文献】
【特許文献】
【０００４】
【特許文献１】特開２００９−１２８８０２号公報
【発明の概要】
【発明が解決しようとする課題】
【０００５】
しかしながら、上記従来のシンバルパッドは、あくまで一体的に構成されるために制限が多く、カップ、ボウ及びエッジのそれぞれに適した打撃の感触をアコースティックのシンバルのものに近づけることは困難であった。例えば、一部の領域では満足のいく打感であっても他の領域では違和感がある、等の問題があり、全体としての打感の改善の余地は大きかった。
【０００６】
本発明は上記従来技術の問題を解決するためになされたものであり、その目的は、ボウとエッジの打感を個別に適切化することができるシンバルパッドを提供することにある。
【課題を解決するための手段】
【０００７】
上記目的を達成するために本発明の請求項１のシンバルパッドは、打撃領域として、カップ（４０）、ボウ（３０）及びエッジ（２０）を有するシンバルパッドであって、フレーム（２１）と、前記フレームよりも軟質であり、前記フレームを覆うように配設されてスティックにより打撃される表面部材（２９）とを有し、前記表面部材におけるボウに対応するボウ対応部（２９Ｂ）とエッジに対応するエッジ対応部（２９Ａ）とで、素材特性及び表面処理のうち少なくともいずれかが異なることを特徴とする。
【０００８】
好ましくは、前記ボウ対応部よりも前記エッジ対応部の方が硬度が低い。好ましくは、前記ボウ対応部よりも前記エッジ対応部の方が反発係数が低い。
【０００９】
好ましくは、前記ボウ対応部よりも前記エッジ対応部の方が硬度が高い。好ましくは、前記表面部材におけるカップに対応するカップ対応部（２９Ｃ）と前記ボウ対応部（２９Ｂ）と前記エッジ対応部（２９Ａ）とで、素材特性及び表面処理のうち少なくともいずれかが異なる。好ましくは、前記ボウ対応部よりも前記カップ対応部の方が硬度が高い。
【００１０】
好ましくは、前記表面処理として、前記ボウ対応部と前記エッジ対応部とに、互いに特性の異なる表面処理層（２７Ｂ、２７Ａ）を設ける。好ましくは、前記表面処理として、前記表面部材におけるカップに対応するカップ対応部（２９Ｃ）と前記ボウ対応部と前記エッジ対応部とに、互いに特性の異なる表面処理層（２７Ｃ、２７Ｂ）を設ける。
【００１１】
好ましくは、前記ボウ対応部に設けた表面処理層（２７Ｂ）よりも前記エッジ対応部に設けた表面処理層（２７Ａ）の方が滑り性が高い。好ましくは、前記表面処理として、前記表面部材におけるカップに対応するカップ対応部（２９Ｃ）と前記ボウ対応部とに、互いに特性の異なる表面処理層（２７Ｃ、２７Ｂ）を設けると共に、前記エッジ対応部には表面処理層を設けない。
【００１２】
好ましくは、前記ボウ対応部と前記エッジ対応部との間に隙間（Ｃ１）が形成され、前記隙間において、前記ボウ対応部と前記エッジ対応部とが平面視で重なることで、平面視において前記フレームが見えない。好ましくは、前記ボウ対応部及び前記エッジ対応部の少なくともいずれかにおける前記隙間の近傍に、平面視で前記隙間と略平行な溝部（ｍ１）を設ける。好ましくは、前記隙間を別部材（２８）で埋める。好ましくは、前記表面部材におけるカップに対応するカップ対応部（２９Ｃ）と前記ボウ対応部との間に隙間（Ｃ１）が形成され、前記隙間において、前記カップ対応部と前記ボウ対応部とが平面視で重なることで、平面視において前記フレームが見えない。
【００１３】
なお、上記括弧内の符号は例示である。
【発明の効果】
【００１４】
本発明の請求項１によれば、ボウとエッジの打感を個別に適切化することができる。
【００１５】
請求項２、３によれば、エッジを変形しやすくして振り抜きを容易にすることができる。
【００１６】
請求項４によれば、エッジの滑り性を良くして振り抜きを容易にすることができる。
【００１７】
請求項５によれば、カップとボウとエッジの打感を個別に適切化することができる。
【００１８】
請求項６によれば、アコースティックのようなカップの打感が得られる。
【００１９】
請求項７、８によれば、表面処理にて滑り性等の違いを設けることができる。
【００２０】
請求項９によれば、エッジの滑り性を良くして振り抜きを容易にすることができる。
【００２１】
請求項１０によれば、表面処理の剥がれがエッジでは生じ得ないようにすることができる。
【００２２】
請求項１１、１２、１３によれば、ボウとエッジとで表面部材を分割構成とした場合でも、外観の悪化を抑制することができる。
【００２３】
請求項１４によれば、カップとボウとで表面部材を分割構成とした場合でも、外観の悪化を抑制することができる。
【図面の簡単な説明】
【００２４】
【図１】本発明の一実施の形態に係るシンバルパッドが適用される電子ドラムセットの外観図（図（ａ））、シンバルパッドの上面図（図（ｂ））である。
【図２】シンバルパッドの構成を示す模式的な断面図（図（ａ））、エッジの打撃時の様子を示す模式図（図（ｂ）、（ｃ））である。
【図３】対応部の表面に形状差を設けた図（図（ａ））、表面処理の差を設けた図（図（ｂ））である。
【図４】表面ボウ対応部と表面エッジ対応部との境目の模式的な断面図（図（ａ））、変形例の境目の模式的な断面図（図（ｂ）〜（ｄ））である。
【発明を実施するための形態】
【００２５】
以下、本発明の実施の形態を図面を参照して説明する。
【００２６】
図１（ａ）は、本発明の一実施の形態に係るシンバルパッドが適用される電子ドラムセットの外観図である。この電子ドラムセットは、スタンド１０と、スタンド１０に支持されるシンバルパッドＰＤと、シンバルパッドＰＤに電気的に接続される楽音発生装置１２とから構成される電子打楽器である。
【００２７】
このシンバルパッドＰＤは、一例としてライドシンバルとして利用されるが、これに限られず、ハイハット、クラッシュ等のシンバルに適用してもよい。あるいは、シンバルパッドＰＤは練習用として用いることもでき、その場合は、スタンド１０を用いずにシンバルパッドＰＤを机等に載置して打撃することもでき、電子的に発音させるための機構も必要とされない。
【００２８】
図１（ｂ）は、シンバルパッドＰＤの上面図である。シンバルパッドＰＤは、平面視で円盤状に形成され、半径方向における中心に支持穴１７が形成される。支持穴１７をスタンド１０の上側支柱１０ａが貫通した状態で、不図示の弾性材が上下からシンバルパッドＰＤを挟むように配設されることで、シンバルパッドＰＤが上側支柱１０ａに対して前後左右に揺動自在に支持される。
【００２９】
シンバルパッドＰＤの上側に露出した面が打撃面となり、その打撃領域としては、支持穴１７に近い側から順に、カップ４０、ボウ３０及びエッジ２０となっており、これらはいずれも外郭形状が円形である。カップ４０はボウ３０よりも上方に突出している。
【００３０】
図１（ｂ）に示すように、シンバルパッドＰＤにはピエゾ素子等の打撃センサ１８が設けられている。奏者１３がスティック１４でシンバルパッドＰＤを打撃すると、その打撃を打撃センサ１８が検出し、その検出信号に応じた楽音が楽音発生装置１２から発生する。なお、シートセンサをエッジ２０に設け、楽音制御の際、シートセンサの信号も加味してもよい。
【００３１】
図２（ａ）は、シンバルパッドＰＤの構成を示す模式的な断面図である。なお、以降の断面図において、支持穴１７の図示を省略する。
【００３２】
シンバルパッドＰＤは、裏面ＰＤａ側から順に、フレーム２１、表面部材２９が積層された２層構造でなる。２層構造は、シンバルパッドＰＤの全体において適用されている。表面部材２９の露出した表面が、スティック１４により打撃される打撃面を提供する。
【００３３】
フレーム２１は、ＡＢＳ（Acrylonitrile Butadiene Styrene）やＰＰ（ポリプロピレン）等の硬質プラスチック、あるいは金属板でなり、打撃に対する十分な剛性を有する硬質のベース部である。フレーム２１を覆うように設けられる表面部材２９は、フレーム２１の素材よりも軟らかい素材でなり、例えば、ゴムや発砲スポンジ等の軟質材でなる。表面部材２９は、打撃による振動を速やかに減衰させると共に、打撃による衝撃音を緩和する機能を有する。
【００３４】
フレーム２１は一体に構成されるが、フレーム２１において、カップ４０に対応する部分をフレームカップ対応部２１Ｃ、ボウ３０に対応する部分をフレームボウ対応部２１Ｂ、エッジ２０に対応する部分をフレームエッジ対応部２１Ａと便宜上呼称する。
【００３５】
表面部材２９については、カップ４０、ボウ３０及びエッジ２０のそれぞれに対応する、表面カップ対応部２９Ｃと表面ボウ対応部２９Ｂと表面エッジ対応部２９Ａとが別体に構成される。そして、対応部２９Ｃ、２９Ｂ、２９Ａが、各々フレーム２１に対して接着等で固着される。対応部２９Ｃ、２９Ｂ間の境界、及び対応部２９Ｂ、２９Ａ間の境界は、支持穴１７を中心とする同心円であるが、同心円であることは必須でない。
【００３６】
なお、フレーム２１については、対応部２１Ｃ、２１Ｂ、２１Ａ間で形状を異ならせてもよい。例えば、フレーム２１の肉厚について、フレームカップ対応部２１Ｃにおける最小厚み＞フレームボウ対応部２１Ｂにおける最大厚みとし、且つ、フレームボウ対応部２１Ｂにおける最小厚み＞フレームエッジ対応部２１Ａにおける最大厚みとしてもよい。これにより、フレーム２１自体の特性として、打撃時の撓み易さ（変形のしやすさ）については、カップ４０＜ボウ３０＜エッジ２０となり、アコースティックシンバルに近似してくる。
【００３７】
図２（ｂ）、（ｃ）は、エッジ２０の打撃時の様子を示す模式図である。スティック１４によるエッジ２０の打撃においては、単に叩くだけでなく、スティック１４を下方に振り抜くように演奏されることがある。その際、通常、図２（ｂ）に示すように、シンバルパッドＰＤが傾くと共にスティック１４の先端が下方に移動する。
【００３８】
このとき、エッジ２０が変形しやすく構成されていれば、主にエッジ２０の変形によって振り抜きやすくなる。一方、エッジ２０が変形しにくい構成であれば、スティック１４の跳ねが大きくなり、スティック１４はエッジ２０を滑るようにして下方に振り抜かれる態様となる。従って、エッジ２０の変形のしやすさや滑り具合によって、振り抜きやすさは変わってくる。
【００３９】
また、振り抜き演奏に限らず、通常の打撃においても、打撃領域の特性（反発しやすさ、滑り性等）によって、打感が影響を受ける。そこで、本実施の形態では、対応部２９Ｃ、２９Ｂ、２９Ａにつき、互いに、その形状、素材特性及び表面処理のうち少なくともいずれかが異なるように構成する。それによって、カップ４０、ボウ３０、エッジ２０の打感を個別に適切化することができ、アコースティックシンバルの打感に近づけることが可能になる。
【００４０】
具体例をいくつか挙げる。素材特性には、硬度（硬さ）、密度、反発係数等の尺度がある。まず、素材特性として、硬さが、表面カップ対応部２９Ｃ＞表面ボウ対応部２９Ｂ＞表面エッジ対応部２９Ａとなるように選定する。これにより、表面エッジ対応部２９Ａが変形しやすくなり、打感が軟らかくなる。また、打撃を受けたときに局部的に変形して逃げてくれるため、振り抜きがしやすい。カップ４０の打感はアコースティックシンバルのように硬くなる。
【００４１】
あるいは逆に、硬さが、表面ボウ対応部２９Ｂ＜表面エッジ対応部２９Ａとなるように素材特性を選定してもよい。これにより、エッジ２０が打撃されたとき、局部変形はしないが、金属製のアコースティックシンバルのように滑りすくなり、振り抜きやすくなる。この際、表面カップ対応部２９Ｃと表面ボウ対応部２９Ｂとの硬さの差についてはいずれの選択も可能である。
【００４２】
また、これと同様の観点で、反発係数に着目すれば、表面ボウ対応部２９Ｂ＞表面エッジ対応部２９Ａとなるように素材特性を選定してもよい。また、滑り性に着目すれば、表面ボウ対応部２９Ｂ＜表面エッジ対応部２９Ａとなるように、すなわち摩擦係数でいえば、表面ボウ対応部２９Ｂ＞表面エッジ対応部２９Ａとなるように素材特性を選定してもよい。ただし、摩擦係数は素材特性だけでなく形状とも関係してくる。
【００４３】
形状に関して、打撃面の傾斜角度については、表面カップ対応部２９Ｃ＞表面ボウ対応部２９Ｂ＜表面エッジ対応部２９Ａとする。また、厚みを対応部ごとに異ならせてもよい。
【００４４】
また、図３（ａ）に示すように、各対応部２９Ａ〜２９Ｃの表面の形状に差異を設けてもよい。すなわち、凹凸形状を対応部ごとに異ならせる。その際、凹凸を滑り性に影響のある形状とする場合は、表面エッジ対応部２９Ａで滑り性が良くなるような表面形状（つるつるに近い形状）としてもよい。
【００４５】
また、図３（ｂ）に示すように、表面処理については、対応部２９Ｃ、２９Ｂ、２９Ａの各表面に、互いに特性の異なる表面処理層２７Ｃ、２７Ｂ、２７Ａを設けてもよい。各表面処理層２７は、例えば、シート材の貼着、塗装によるコーティング等により施されるが、手法は問わない。貼着されるシート材としてはニット材等が考えられる。
【００４６】
表面部材２９を軟質材で構成しただけでは、滑り性等を良くするのに限界があり、各打撃領域で打感のバランスをとるのが困難である。しかし、表面処理層２７を施すことで、滑り性に関しては容易に差異を設けることができる。例えば、滑り性は、カップ４０では重要でないがエッジ２０では重要であるので、滑り性の良さが、表面処理層２７Ｃ＜表面処理層２７Ｂ＜表面処理層２７Ａとなるように構成する。ボウ３０には、外観上、光沢があると好ましいが、その光沢を表面処理層２７Ｂで作り出すこともできる。なお、意匠的観点からは、表面処理層２７Ｃ、２７Ｂ、２７Ａの色や質感を異ならせてもよい。
【００４７】
なお、エッジ２０については、表面処理層２７Ａが存在すると、多数の振り抜きや打撃による摩擦や変形により、表面処理層２７Ａが剥がれて見栄えが悪くなることが懸念される。そこで、表面処理層２７Ｃまたは表面処理層２７Ｂだけは施すが、表面処理層２７Ａは施さない、という構成も採用可能である。
【００４８】
図４（ａ）は、表面ボウ対応部２９Ｂと表面エッジ対応部２９Ａとの境目の模式的な断面図である。表面ボウ対応部２９Ｂと表面エッジ対応部２９Ａとを別体で構成した結果、両者間には、平面視で環状に見える隙間が形成されることがある。この隙間を通してフレーム２１が見えるとシンバルパッドＰＤの外観を損ねるおそれがある。そこで本実施の形態では、フレーム２１が見えなくなるように隙間の形状を工夫する。なお、この隙間は、支持穴１７を中心とする円形となるのが通常であるが、各対応部２９Ａ〜２９Ｃの外郭形状、内径形状によって決まるため、円形とは限らない。
【００４９】
例えば、図４（ａ）に示すように、対応部２９Ｂ、２９Ａ間の隙間Ｃ１の縦断面形状を斜めに形成し、対応部２９Ｂ、２９Ａの肉部同士が平面視で重なるように構成する。これにより、真上から見ると、フレーム２１が視認されなくなり、隙間Ｃ１が目立たなくなる。なお、隙間Ｃ１の傾斜の方向は問わない。
【００５０】
あるいは、図４（ｂ）に変形例を示すように、隙間Ｃ１の縦断面が「く字状」に屈曲した形となるように、対応部２９Ｂ、２９Ａの対向部同士の形状を形成してもよい。また、このほか、隙間Ｃ１の形状としては、階段状の段差が複数重なった形、あるいはのこぎり状の形も採用可能である。
【００５１】
また、図４（ｃ）に示すように、対応部２９Ｂ、２９Ａの少なくともいずれかにおいて隙間Ｃ１の近傍に、平面視で隙間Ｃ１と略平行な溝部ｍ１を設けてもよい。これにより、視覚上、隙間Ｃ１が溝部ｍ１と同化し、隙間Ｃ１の継ぎ目らしさが緩和され目立たなくなる。
【００５２】
また、図４（ｄ）に示すように、隙間Ｃ１をあえて明確に設け、その隙間Ｃ１を別部材２８で埋めてもよい。打感の観点からは、別部材２８としては、スポンジ、接着剤等のある程度の弾性を有する素材がよい。意匠的観点からは各種考えられ、別部材２８の色を対応部２９Ｂ、２９Ａと同色にして目立たなくするか、逆に別色にして目立つようにすることもできる。
【００５３】
なお、図４（ｃ）、（ｄ）に示した構成は、隙間Ｃ１の傾斜の有無等の形状を問わず適用してもよい。また、図４（ａ）〜（ｄ）で示した工夫は、表面カップ対応部２９Ｃと表面ボウ対応部２９Ｂとの間に形成される隙間にも適用可能である。
【００５４】
本実施の形態によれば、対応部２９Ｃ、２９Ｂ、２９Ａを、形状、素材特性及び表面処理のうち少なくともいずれかが異なる構成としたので、カップ４０とボウ３０とエッジ２０の打感を個別に適切化することができる。例えば、跳ね具合、滑る具合等を各打撃領域に適したものに作り込むことが可能となり、アコースティックシンバルのような打感を実現することが可能となる。
【００５５】
また、対応部２９Ｃ、２９Ｂ、２９Ａ間の隙間Ｃ１を、平面視においてフレーム２１が見えない構成としたので、対応部２９Ｃ、２９Ｂ、２９Ａを分割構成とする場合でも、外観の悪化を抑制することができる。
【００５６】
なお、カップ４０、ボウ３０及びエッジ２０のそれぞれに、打撃センサ、さらにはシートセンサを設けてもよい。そして、楽音制御については、３つの打撃センサの出力のみに基づいて行ってもよいが、３つの打撃センサの出力と３つのシートセンサの出力とに基づいて楽音を制御してもよい。
【００５７】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００５８】
ＰＤ  シンバルパッド、  ２０  エッジ、  ２１  フレーム、  ２９  表面部材、  ３０  ボウ、  ２７Ａ、２７Ｂ、２７Ｃ  表面処理層、  ２８  別部材、  ２９Ｃ  表面カップ対応部、  ２９Ｂ  表面ボウ対応部、  ２９Ａ  表面エッジ対応部、  ４０  カップ、  Ｃ１  隙間、  ｍ１  溝部
【図１】
2015028520.tif 000003
【図２】
2015028520.tif 000004
【図３】
2015028520.tif 000005
【図４】
2015028520.tif 000006